(57)【特許請求の範囲】
【請求項１】
番組をタイマ予約するタイマ予約手段を有したデジタル放送受信機において、該タイマ予約手段により予約すべき番組を区別するコード番号を使用者が直接入力する予約コード入力手段を具備し、更に、該予約コード入力手段を用いて入力されたコード番号が示す数字列の基数を他の基数の数字列からなるコード番号に変換することができるコード変換手段を具備し、該コード変換手段を用いて数字列の基数変換がなされることにより予約すべき番組を特定することができる予約コードが導出されるコード番号が入力されることを特徴とするデジタル放送受信機。
【請求項２】
請求項１記載のデジタル放送受信機において、予約すべき番組を特定することができる前記予約コードと対応付けて、番組の付加情報を取得するための情報を記憶するメモリを具備し、前記予約コード入力手段を用いて入力されたコード番号から前記コード変換手段により基数変換された前記予約コードに基づいて前記メモリを検索することにより、入力されたコード番号に対応する番組の付加情報を取得するための情報を抽出することができることを特徴とするデジタル放送受信機。
【発明の詳細な説明】
【０００１】
【発明の属する技術分野】
本発明は、デジタル放送の受信装置において、タイマ予約すべき番組を特定することができる予約コードを示すようなコード番号を直接入力し、更には、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）／限定受信情報（ＥＣＭ（Ｅｎｔｉｔｌｅｍｅｎｔ  Ｃｏｎｔｒｏｌ  Ｍｅｓｓａｇｅ）／ＥＭＭ（Ｅｎｔｉｔｌｅｍｅｎｔ  Ｍａｎａｇｅｍｅｎｔ  Ｍｅｓｓａｇｅ））などの付加情報を取得するための情報を入力あるいは記憶してタイマ予約を実行する機能に関するものである。
【０００２】
【従来の技術】
デジタル放送受信機の基本構成図が図６に示されている。
図６にもとづき、デジタル放送受信機１００のデコード手順を説明すると、アンテナまたはケーブル１０１で受信した放送の受信信号は、デジタル放送のチューナ１０２にて同調を行い、ＱＰＳＫ復調器・ＦＥＣデコーダ（誤り訂正処理）１０３にてＴＳ（Ｔｒａｎｓｐｏｒｔ  Ｓｔｒｅａｍ：トランスポートストリーム）に変換し出力される。
変換されたＴＳはＴＳ処理部１０４により音声ストリーム及び映像ストリーム及びＳＩ（Ｓｅｒｖｉｃｅ  Ｉｎｆｏｒｍａｔｉｏｎ）ストリームに分離される。ＳＩストリームとはｅｖｅｎｔ（詳細は、後述）に付加されている情報、つまり、ＥＰＧ（Ｅｌｅｃｔｒｉｃ  Ｐｒｏｇｒａｍ  Ｇｕｉｄｅ）の表示や内容紹介，選択や予約などに利用するための情報である。
分離された音声ストリームはＭＰＥＧ音声復調部１０８によりデジタル音声データに復調され、音声Ｄ／Ａコンバータ１０９によりアナログ音声としてＴＶモニタ１１２に送信され出力される。
【０００３】
分離された映像ストリームは、ＭＰＥＧ映像復調部１１０によりデジタル映像データ（ＲＧＢ信号）に復調される。
分離されたＳＩストリームは、ＳＩ復調部１０６により復調され、メモリ＆ＩＣカード１０５に記録される。こうして蓄えられたＳＩをもとにＯＳＤ（Ｏｎ  Ｓｃｒｅｅｎ  Ｄｉｓｐｌａｙ：ＴＶ画面表示）処理・表示映像作成部１０７で処理を行い、必要な画面データを作成する。ここで作成された画面データは、ＭＰＥＧ映像復調部１１０で映像ストリームから作成されたデジタル映像データと合成され、ビデオデコーダ１１１によりアナログ映像（ビデオ信号）としてＴＶモニタ１１２に送出され出力される。各ブロックの制御やＳＩの分離解析などは、ＣＰＵ１１３によって行われている。
【０００４】
また、衛星またはケーブル等から送られてくる放送は階層的に構造化されている。下位階層から、１種類のＰＥＳ（Ｐａｃｋｅｔｉｚｅｄ  Ｅｌｅｍｅｎｔａｒｙ  Ｓｔｒｅａｍ）の連続体から構成されるｃｏｍｐｏｎｅｎｔ（ＥＳ：Ｅｌｅｍｅｎｔａｒｙ  Ｓｔｒｅａｍに相当。映像／音声／データ等。識別コードはｃｏｍｐｏｎｅｎｔ＿ｉｄ）、多重化された複数のｃｏｍｐｏｎｅｎｔから構成されるｅｖｅｎｔ（番組に相当。識別コードはｅｖｅｎｔ＿ｉｄ）、連続する複数のｅｖｅｎｔから構成されるｓｅｒｖｉｃｅ（チャンネルに相当。識別コードはｓｅｒｖｉｃｅ＿ｉｄ）、多重化された複数のｓｅｒｖｉｃｅ及びＰＳＩ／ＳＩ／限定受信情報（ＥＣＭ／ＥＭＭ）などの付加情報から構成されるＴＳ（Ｔｒａｎｓｐｏｒｔ  Ｓｔｒｅａｍ。衛星のキャリアに相当。識別コードはＴＳ＿ｉｄ）、複数のＴＳから構成されるｎｅｔｗｏｒｋ（衛星に相当。識別コードはｎｅｔｗｏｒｋ＿ｉｄ）、のように構造化されている。
【０００５】
また、ｃｏｍｐｏｎｅｎｔを乗せるＰＥＳとは別に、ＰＳＩ／ＳＩ／限定受信情報（ＥＣＭ／ＥＭＭ）などの付加情報を乗せているのがｔａｂｌｅ（識別コードはｔａｂｌｅ＿ｉｄ）であり、大半のｔａｂｌｅ＿ｉｄは固定である。各ｔａｂｌｅは伝送内容によって、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＴＤＴ（Ｔｉｍｅ  Ｄａｔａ  Ｔａｂｌｅ）、ＳＴ（Ｓｔｕｆｆｉｎｇ  Ｔａｂｌｅ）、ＤＳＴ（ＤＭ  Ｓｅｒｉｅｓ  Ｔａｂｌｅ）、ＤＳＬＴ（ＤＭ  Ｓｅｒｉｅｓ  Ｌｉｓｔ  Ｔａｂｌｅ）、ＢＡＴ（Ｂｏｕｑｕｅｔ  Ａｓｓｏｃｉａｔｉｏｎ  ｔａｂｌｅ）、ＲＳＴ（Ｒｕｎｎｉｎｇ  Ｓｔａｔｕｓ  Ｔａｂｌｅ）等が形成されており、夫々ＰＩＤ（Ｐａｃｋｅｔ  Ｉｄｅｎｔｉｆｉｃａｔｉｏｎ）やｔａｂｌｅ＿ｉｄ，送出頻度が規格化されている。ＳＩの中で各ｅｖｅｎｔ情報について記述しているのがＥＩＴである。ＥＩＴは次のように大別されている。
【０００６】
【表１】
0003570854.tif 000002
【０００７】
ｐｒｅｓｅｎｔ＿ｆｏｌｌｗｉｎｇ＿ＥＩＴは現在実行されているべきｅｖｅｎｔと次に実行されるべきｅｖｅｎｔを記述している。ｓｃｈｅｄｕｌｅ＿ＥＩＴはすべてのｅｖｅｎｔを記述しており、ｅｖｅｎｔの開始時間により表２のような３時間単位（ｓｅｃｔｉｏｎ単位で最大８ｓｅｃｔｉｏｎ）のｓｅｇｍｅｎｔに分類され、ｔａｂｌｅ＿ｉｄ、ｓｅｃｔｉｏｎ＿ｎｕｍｂｅｒが割り当てられている。ｓｃｈｅｄｕｌｅ＿ＥＩＴは番組内容以外の情報を記述したｇｅｎｅｒａｌ＿ＥＩＴと番組内容のみを記述したｄｅｔａｉｌ＿ＥＩＴに分けられる。
【０００８】
【表２】
0003570854.tif 000003
【０００９】
次にタイマ予約について記述する。ここではタイマ予約をタイマ予約に必要な情報を要求するフェーズとタイマ予約を処理するフェーズに分ける。タイマ予約要求の代表的な手段は、ＥＰＧを利用する方法とプロモーションチャンネルのファンクションを利用する方法である。
ＥＰＧによるタイマ予約要求のフローを図７に示す。ＥＰＧ画面の表示要求がある（ステップＳ７０）と、ＰＳＩ／ＳＩ／限定受信情報（ＥＣＭ／ＥＭＭ）などの付加情報を要求し（ステップＳ７１）、ＴＳから付加情報を分離し（ステップＳ７２）、付加情報をメモリに格納し（ステップＳ７３）、メモリから付加情報を取得し（ステップＳ７４）、取得した付加情報をもとにＥＰＧ画面を作成する（ステップＳ７５）。このときｅｖｅｎｔを選択できるようにｅｖｅｎｔごとにボタンを作成する。
タイマ予約を行いたいｅｖｅｎｔがその画面にあればカーソルを移動し（ステップＳ７６）、なければｅｖｅｎｔが現れるまでＥＰＧ画面上でカーソルやページの移動操作或いはｓｅｒｖｉｃｅや日時の指定操作などを行う（ステップＳ７６）必要がある。そして、ｅｖｅｎｔごとのボタンを選択する（ステップＳ７７）ことによってタイマ予約処理要求が行われる（ステップＳ７８）。
タイマ予約処理要求が行われると、図８のようなタイマ予約処理が行われる。図８において、タイマ予約処理要求が行われると（ステップＳ８０）、契約情報を要求した（ステップＳ８１）後、さらに、タイマ予約に必要な詳細な付加情報を要求し（ステップＳ８２）、設定処理としてロック情報の確認（ステップＳ８３）と時間重複確認（ステップＳ８４）を行い、録画形態処理として、ステップＳ８５〜Ｓ８７が行われ、タイマ予約情報が設定される。
【００１０】
一方、プロモーションチャンネルのファンクションによるタイマ予約要求は、図９のようなＯＳＤ画面上のファンクション２０１から行われる。プロモーションチャンネルのファンクションを表示するＯＳＤ画面にはＴＶモニタ２０７上に映っているｅｖｅｎｔの選局を要求する選局ボタン２０２や、そのｅｖｅｎｔのタイマ予約を要求する予約ボタン２０３や、そのｅｖｅｎｔの内容紹介の表示を要求する番組説明ボタン２０４や、そのｅｖｅｎｔが放送されているｓｅｒｖｉｃｅの内容紹介の表示を要求するＣＨ説明ボタン２０５や、そのｓｅｒｖｉｃｅの番組表の表示を要求する番組表表示ボタン２０６などがある。予約ボタン２０３が選択されるとタイマ予約処理要求が行われ、ＥＰＧと同様に図８で示したようなタイマ予約が行われる。
【００１１】
【発明が解決しようとする課題】
従来の技術では、ユーザーはデジタル放送のタイマ予約を実現する際に、ＯＳＤなどのＧＵＩ（Ｇｒａｐｈｉｃａｌ  Ｕｓｅｒ  Ｉｎｔｅｒｆａｃｅ）を経由してＰＳＩ／ＳＩ／限定受信情報（ＥＣＭ／ＥＭＭ）などの付加情報を間接的に取得，利用する手段しか与えられていなかった。
タイマ予約を行う手段として、ＥＰＧを利用する場合、付加情報を取得する際のスピード面からのメリットから、チューナをプロモーションチャンネルのあるトランスポンダに同調せざるを得なく、ＥＰＧをＴＶモニタに表示している期間は、ｃｏｍｐｏｎｅｎｔ（映像／音声／データ等）を視聴することができない。
そして、タイマ予約を完了するまでに、ＯＳＤに表示するための操作とその付加情報を取得するに要する期間、かつ、タイマ予約を行いたいｅｖｅｎｔを表示するまでに要する操作と期間、かつ、ユーザーがタイマ予約を要求する操作と要求に従い詳細な付加情報の取得に要する期間が必要であり、ユーザーに手間と待ち時間を強いてきた。
また、タイマ予約にプロモーションチャンネルのファンクションを利用する場合、ＴＶモニタに映っているｅｖｅｎｔのプロモーションにファンクションが付随されているか否かは放送の送信側の都合であり、ユーザーが任意にファンクションを選択できるわけではない。さらに、ｅｖｅｎｔのプロモーションがいつプロモーションチャンネルで放送されるかも明確ではなく、手間は掛からないが偶発的なタイマ予約手段ではユーザーにとって不便である。
【００１２】
本発明は、上記した従来技術における問題点に鑑みてなされたもので、できるだけ少ない操作及び時間でタイマ予約を行うことができ、タイマ予約をする間にｃｏｍｐｏｎｅｎｔの視聴がさまたげられることを可及的に少なくするようにしたデジタル放送受信機を提供することをその解決すべき課題とする。
【００１４】
【課題を解決するための手段】
本発明に係る第１の技術手段は、番組をタイマ予約するタイマ予約手段を有したデジタル放送受信機において、該タイマ予約手段により予約すべき番組を区別するコード番号を使用者が直接入力する予約コード入力手段を具備し、更に、該予約コード入力手段を用いて入力されたコード番号が示す数字列の基数を他の基数の数字列からなるコード番号に変換することができるコード変換手段を具備し、該コード変換手段を用いて数字列の基数変換がなされることにより予約すべき番組を特定することができる予約コードが導出されるコード番号が入力されるデジタル放送受信機とすることを特徴とするものである。
【００１５】
更に、本発明に係る第２の技術手段は、前記第１の技術手段によるデジタル放送受信機において、予約すべき番組を特定することができる前記予約コードと対応付けて、番組の付加情報を取得するための情報を記憶するメモリを具備し、前記予約コード入力手段を用いて入力されたコード番号から前記コード変換手段により基数変換された前記予約コードに基づいて前記メモリを検索することにより、入力されたコード番号に対応する番組の付加情報を取得するための情報を抽出することができるデジタル放送受信機とすることを特徴とするものである。
【００１９】
【発明の実施の形態】
（実施形態１）
ｅｖｅｎｔのタイマ予約に必要な情報（以下、「予約コード」と記す）は、ｎｅｔｗｏｒｋ＿ｉｄとｓｅｒｖｉｃｅ＿ｉｄとｅｖｅｎｔ＿ｉｄなどである。タイマ予約を行うｅｖｅｎｔを選んだ時点でｎｅｔｗｏｒｋ＿ｉｄとｓｅｒｖｉｃｅ＿ｉｄは一意に決まり、ｅｖｅｎｔのｅｖｅｎｔ＿ｉｄが判れば、タイマ予約処理要求が行える。ｅｖｅｎｔ＿ｉｄは契約したｓｅｒｖｉｃｅからのダイレクトメールや市販されている番組ガイド誌や新聞などのメディアを通じて入手する。
その具体例を図１に示す。図１は、午後６時から午後７時３０分までの１０番目のネットワークの番組表例１０であり、日付１１と時間１５とチャンネル１３と番組１４に併せて各チャンネルごとにｓｅｒｖｉｃｅ＿ｉｄ１２と各番組ごとにｅｖｅｎｔ＿ｉｄ１６が記載されている。
１２月１日の２００チャンネルの午後６：００から午後７：００までの番組１７をタイマ予約するとき、番組のｅｖｅｎｔ＿ｉｄは０ｘＦＥＤＣであり、また、番組のｓｅｒｖｉｃｅ＿ｉｄは０ｘ００Ｃ８であり、また、番組のｎｅｔｗｏｒｋ＿ｉｄは０ｘ０Ａである。よって、この番組の予約コードは０Ａ  ００Ｃ８  ＦＥＤＣ（識別コードの順番は任意）となる。この場合、０〜９，Ａ〜Ｆまでの１６種類のキーがリモコン等に必要である。但し、予約コードの全てをキーで入力する必要があるわけではなく、ネットワークやチャンネルはそのロゴを模したアイコン等などで選択する手段を用意すれば予約コードはＦＥＤＣだけでよい。
【００２０】
このような予約コードをＯＳＤ画面上から入力することによってタイマ予約処理要求を実現する場合のタイマ予約処理要求までのフローチャートを図２に示す。予約コード入力画面の要求をし（ステップＳ２０）、その要求に従って予約コード入力画面を作成し（ステップＳ２１）、リモコンやＴＶモニタ上のキーボードなどから予約コードを入力する（ステップＳ２２）。以上の操作によってタイマ予約処理要求が行われる（ステップＳ２３）。
この際、トランスポンダを変更するような処理はなく、タイマ予約処理の詳細な付加情報要求をバックグランドで実行することも可能なので、ｃｏｍｐｏｎｅｎｔを視聴できない期間を極力短くすることができる。そして、詳細な付加情報が取得できた時点でユーザーにその旨を告示し、詳細な付加情報要求以外のタイマ予約処理をユーザーの都合の良い時点で実行する。
【００２１】
ｅｖｅｎｔ＿ｉｄが判っただけでもタイマ予約処理要求を実行できるが、ｅｖｅｎｔ＿ｉｄの他にｓｅｇｍｅｎｔが判れば入力する予約コードの桁数が増えるもののタイマ予約処理において詳細な付加情報要求した際に、ＴＳから高速の検索，取得が可能になる。上記の番組のタイマ予約を例にとれば、表２からｔａｂｌｅ＿ｉｄが０ｘ５０，ｓｅｃｔｉｏｎ＿ｎｕｍｂｅｒが０ｘ３０〜０ｘ３７なので、ｓｅｇｍｅｎｔは０ｘ５０３０〜０ｘ５０３７となる。
【００２２】
（実施形態２）
入力された予約コードの全部或いは一部の数字列の基数を例えば１６進数表示から１０進数表示に変換する。これを変換予約コードと呼ぶ。１６進数表示の数字列からなる予約コードの場合における上記の番組１７のタイマ予約を例にとれば、入力する変換予約コードとして１０進数表示の数字列に基数を変換した場合、番組の変換されたｅｖｅｎｔ＿ｉｄは６５  ２４４であり、また、変換されたｓｅｒｖｉｃｅ＿ｉｄは２００であり、また、変換されたｎｅｔｗｏｒｋ＿ｉｄは１０である。よって、この番組の変換予約コードは、１０  ２００  ６５  ２４４（コードの順番は任意）となる。
この場合、前述した１６進数表示の数字列からなる予約コードの例よりも少ない０〜９までの１０種類のキーがリモコン等に必要である。但し、予約コードの全てをキーで入力する必要があるわけではなく、ネットワークやチャンネルはそのロゴを模したアイコン等などで選択する手段を用意すれば予約コードは６５  ２４４だけでよい。
【００２３】
このような変換予約コードをＯＳＤ画面上から入力することによって、タイマ予約処理要求を実現するが、その場合のタイマ予約処理要求までのフローチャートを図３に示す。変換予約コード入力画面の要求をし（ステップＳ３０）、その要求に従って変換予約コード入力画面を作成し（ステップＳ３１）、リモコンやＴＶモニタ上のキーボードなどから変換予約コードを入力する（ステップＳ３２）と、変換予約コードをタイマ予約に必要な情報へ逆変換（即ち、変換予約コードが示す数字列の基数をタイマ予約すべき番組を特定することができる予約コードの数字列の基数に変換）する（ステップＳ３３）ことによってタイマ予約処理要求が行われる（ステップＳ３４）。
予約コードは夫々上限値と下限値が規格化されているので、エンコードすることによって入力するコードの桁数の削減を図ることが可能である。変換予約コードは上記メディアなどを通して入手する。
【００２４】
（実施形態３）
前記表２に示すごとき予約番組の放送時間帯（即ち、ｔａｂｌｅ＿ｉｄとｓｅｃｔｉｏｎ＿ｎｕｍｂｅｒ）を示すｓｅｇｍｅｎｔ情報即ち該予約番組の付加情報を取得するための情報と、一対一に或いは一対多の関係にあるｅｖｅｎｔ＿ｉｄとをメモリに記憶しておき、予約コードが入力されｅｖｅｎｔ＿ｉｄが判明した時点で或いは変換予約コードが入力されｅｖｅｎｔ＿ｉｄがデコードされた時点で、入力された予約コード又は基数変換がなされた予約コード即ちｅｖｅｎｔ＿ｉｄをもとにメモリからｓｅｇｍｅｎｔ情報即ち予約番組の付加情報を取得するための情報を抽出し、タイマ予約処理要求を行う。
このタイマ予約処理要求を行う場合のフローチャートを図４に示す。コード入力画面の要求をし（ステップＳ４０）、その要求に従ってコード入力画面を作成し（ステップＳ４１）、リモコンやＴＶモニタ上のキーボードなどから予約コード又は変換予約コードを入力する（ステップＳ４２）と、変換予約コードであるか否かを判断した（ステップＳ４３）後、変換予約コードである場合に、変換予約コードの数字列の基数を予約コードの数字列の基数に変換し（ステップＳ４４）、メモリをアクセスし得る基数の数字列からなる予約コードにして、メモリからｓｅｇｍｅｎｔを取得する（ステップＳ４５）ことによってタイマ予約処理要求が行われる（ステップＳ４６）。
ｓｅｇｍｅｎｔとｅｖｅｎｔ＿ｉｄを記録することによって入力するコードの桁数の削減を図るとともに、タイマ予約処理において詳細な付加情報要求した際のＴＳから高速な検索，取得が可能である。予約コード或いは変換予約コードは上記メディアなどを通して入手する。
【００２５】
（実施形態４）
任意の情報（日時や番組名等）をコード（英数字，仮名，記号等）入力することによって、または、予約コード或いは変換予約コードと併せて入力することによって、タイマ予約処理要求を行う。
上記の番組１７のタイマ予約を例にとれば、予約コードの数字列の基数に変換前の変換予約コードのｎｅｔｗｏｒｋ＿ｉｄの１０と変換前のｓｅｒｖｉｃｅ＿ｉｄの２００に併せて、開始時間の午後６時を１８００のように入力したり、番組名のＳｔｒａｎｇｅ  Ｔｈａｎ  ｐａｒａｄｉｓｅをローマ字や仮名などで入力する。
こうした入力方法をとる場合のフローチャートを図５に示す。コード入力画面の要求をし（ステップＳ５０）、その要求に従ってコード入力画面を作成し（ステップＳ５１）、リモコンやＴＶモニタ上のキーボードなどからコードを入力すると（ステップＳ５２）、コードをタイマ予約に必要な情報へ変換或いはコードをもとにタイマ予約に必要な情報を取得する（ステップＳ５３）ことによってタイマ予約処理要求が行われる（ステップＳ５４）。
この実施形態は、放送の送信側の都合に依らない任意の時間帯でタイマ予約することや番組名を指定して現在時刻に最も近い放送開始予定のｅｖｅｎｔをタイマ予約することなどが可能となり、ユーザーの感覚を優先した入力手段である。予約コード或いは変換予約コードは上記メディアなどを通して入手する。
【００２６】
【発明の効果】
本発明に係るデジタル放送受信機によれば、予約コード入力画面上で、或いは、リモコンやＴＶモニタ上のキーボードなどから予約するｃｏｍｐｏｎｅｎｔのコード番号即ちｅｖｅｎｔ＿ｉｄを指定入力する操作だけで、随時、タイマ予約処理要求が行われ、この際、トランスポンダを変更するような処理はなく、タイマ予約処理の詳細な付加情報の要求をバックグランドで実行することで、ｃｏｍｐｏｎｅｎｔを視聴できない期間を極力短くすることが可能になる。そして、詳細な付加情報が取得できた時点でユーザーにその旨を告示することで、詳細な付加情報要求以外のタイマ予約処理をユーザーの都合の良い時点で実行することが可能になる。更に、ｅｖｅｎｔ＿ｉｄの他にｓｅｇｍｅｎｔを入力することによって詳細な付加情報をＴＳから高速に検索，取得することが可能になる
【００２７】
更に、本発明に係るデジタル放送受信機によれば、前述の効果に加えて、ユーザーが予約指定において、予約コードを示す基数の数字列（例えば、１６進数の数字列）を異なる基数からなる数字列（例えば、１０進数の数字列）によりコード表現を変えて変換予約コードとして入力し、この入力された変換予約コードをコード変換即ち基数変換することによって予約コードの基数の数字列に戻すことができ、番組予約の入力に必要とするコード番号を入力するキーの種類数を削減したり、或いは、入力するコードの桁数の削減を図ることも可能になる。
【００２８】
更に、本発明に係るデジタル放送受信機によれば、前述の効果に加えて、放送時間帯を示すｓｅｇｍｅｎｔとｅｖｅｎｔ＿ｉｄとを対応付けして記憶することによって入力するコード番号の桁数の削減を図るとともに、詳細な付加情報をＴＳから高速に検索，取得することが可能になる
【００２９】
更に、本発明に係るデジタル放送受信機によれば、前述の効果に加えて、任意の情報をリモコンやＴＶモニタ上のキーボードなどから入力することによって、または、予約コード或いは変換予約コードと併せて入力することによって、放送の送信側の都合に依らないユーザーの要求を優先したタイマ予約が可能になる。
【００３０】
また、上記した発明の実施形態における実施例の３種類の手段（即ち、予約コードとしてｅｖｅｎｔ＿ｉｄを入力する場合、ｅｖｅｎｔ＿ｉｄとｓｅｇｍｅｎｔとを入力する場合、及び、ｅｖｅｎｔ＿ｉｄとｓｅｇｍｅｎｔとの対応をメモリに記録する場合）について、入力するコードの桁数，確保しなければならないメモリ領域，詳細な付加情報の取得に要するスピードの観点でまとめると、表３のようになる。
【００３１】
【表３】
0003570854.tif 000004
【００３２】
これらの実施例の手段を必要（ユーザーの設定や受信機の条件など）に応じて、単独或いは組み合わせることによって、無駄な操作や待ち時間を省いた効率の高い適応性の良好なタイマ予約の機能や手段，環境を提供することが可能となる。
【図面の簡単な説明】
【図１】ネットワークの番組表の例を示し、本発明によるタイマ予約の一例を説明するための図である。
【図２】本発明の実施形態によるタイマ予約処理のフローを示す図である。
【図３】本発明の実施形態による変換予約コード入力によるタイマ予約処理要求のフローを示す図である。
【図４】本発明の実施形態によるメモリを用いたタイマ予約処理要求のフローを示す図である。
【図５】本発明の実施形態によるコード入力によるタイマ予約処理要求のフローを示す図である。
【図６】従来技術及び本発明に共通するデジタル放送受信機の基本構成を示す図である。
【図７】ＥＰＧを用いた従来技術によるタイマ予約処理要求の前段のフローを示す図である。
【図８】本発明及び従来技術に共通の予約コード入力によるタイマ予約処理要求の後段のフローを示す図である。
【図９】従来から用いられているプロモーションチャンネルのファンクションの一例を示す図である。
【符号の説明】
１０…１０番目のネットワークの番組表例、１１…日付、１２…ｓｅｒｖｉｃｅ＿ｉｄ、１３…チャンネル、１４，１７…番組、１５…時間、１６…ｅｖｅｎｔ＿ｉｄ、１００…デジタル放送受信機、１０１…アンテナまたはケーブル、１０２…チューナ、１０３…ＱＰＳＫ復調器・ＦＥＣデコーダ、１０４…ＴＳ処理部、１０５…メモリ＆ＩＣカード、１０６…ＳＩ復調部、１０７…ＯＳＤ処理・表示映像作成部、１０８…ＭＰＥＧ音声復調部、１０９…音声Ｄ／Ａコンバータ、１１０…ＭＰＥＧ映像復調部、１１１…ビデオデコーダ、１１２，２０７…ＴＶモニタ、１１３…ＣＰＵ、１１４…ディスクランブラ、２０１…ファンクション、２０２…選局ボタン、２０３…予約ボタン、２０４…番組説明ボタン、２０５…ＣＨ説明ボタン、２０６…番組表表示ボタン、２０７…ＴＶモニタ。
【図１】
0003570854.tif 000005
【図２】
0003570854.tif 000006
【図３】
0003570854.tif 000007
【図４】
0003570854.tif 000008
【図５】
0003570854.tif 000009
【図６】
0003570854.tif 000010
【図７】
0003570854.tif 000011
【図８】
0003570854.tif 000012
【図９】
0003570854.tif 000013